(57)【要約】【課題】  少ない部品点数で低コストな電子黒板を提供する。【解決手段】  本発明に係る電子黒板は、筆記用シート２５０と筆記用シート２６０を移動するためのモータ２４０とを備えたシート構造体２００と、上下に一対のレール部材１１０、１２０を含み、該一対のレール部材１１０、１２０の側部からシート構造体２００を着脱可能に収容するフレーム１００と、筆記用シート２５０に記載された文字や図形等を光学的に読取る光学的読取手段と、光学的読取手段によって読取られたデータを出力するデータ出力手段とを有する。【選択図】    図２
2005246691.tif 000002
【特許請求の範囲】
【請求項１】
筆記用シートと筆記用シートを移動するための駆動部とを備えたシート構造体と、
上下に一対のレール部材を含み、該一対のレール部材の側部からシート構造体を着脱可能に収容するフレームと、
筆記用シートに記載された文字や図形等を光学的に読取る光学的読取手段と、
光学的読取手段によって読取られたデータを出力するデータ出力手段と、
を有する電子黒板。
【請求項２】
フレームの上下一対のレール部材の対向する側部にサイドカバーが固定される、請求項１に記載の電子黒板。
【請求項３】
サイドカバーには操作パネルが取り付けられ、操作パネルからの指示に従い筆記用シートが移動される、請求項１または２に記載の電子黒板。
【請求項４】
シート構造体はさらに、筆記用シートを巻装する一対のローラと、一対のローラ間距離を可変するシート取外し機構とを含み、シート取外し機構により一対のローラ間の距離を狭めたとき、筆記用シートを一対のローラと平行な方向に取外し可能である、請求項１ないし３いずれか１つに記載の電子黒板。
【請求項５】
フレームの上下一対のレール部材は、シート構造体を摺動するための溝を含む、請求項１に記載の電子黒板。
【請求項６】
電子黒板の組立方法であって、
一対のローラ、一対のローラの巻き掛けられた筆記用シート、および少なくとも一方のローラを駆動するモータとを含むシート構造体を準備し、
フレームの上下一対のレール部材の側部からシート構造体を挿入し、シート構造体をフレームに固定する、
ステップを有する電子黒板の組立方法。
【請求項７】
前記組立方法はさらに、フレームの上下一対のレール部材の側部にサイドカバーを装着するステップを含む、請求項６に記載の組立方法。
【請求項８】
前記組立方法はさらに、フレームの上下一対のレール部材の側部からシート構造体を取外し、該シート構造体の筆記用シートを取り替えた後、シート構造体を再び上下一対のレール部材の側部から挿入するステップを含む、請求項６または７に記載の組立方法。
【請求項９】
筆記用シートを取り替えるとき、一対のローラ間の軸間距離を狭め、新たな筆記用シートを装着後に一対のローラ間の軸間距離ｗぽ延伸させ、一対のローラによって筆記用シートに張力を与える、請求項８に記載の組立方法。
【発明の詳細な説明】
【技術分野】
【０００１】
本発明は、電子黒板および電子黒板の組立方法に関する。
【背景技術】
【０００２】
従来の電子黒板は、文字、図形等を記載するための筆記用シートと、筆記用シートを一定方向に移動させるモータと、移動する筆記用シートに光を照射する照明装置と、筆記用シートからの反射光を受光し筆記用シートの文字、図形等を読み取り、これの画像情報を出力するＣＣＤと、ＣＣＤからの画像情報を出力する出力部（例えば、プリンタやメモリカードなど）とを備えて構成される。
【０００３】
このような電子黒板に関し、例えば特許文献１は、電子黒板の部品点数を減らし、組立所要工程を減少させ、製造コストを軽減する発明を開示している。図９は、特許文献１の図１に開示される電子黒板装置を示す図である。同図において、電子黒板は、フレーム１９の上枠から前面側に突出するブラケット２０ａ、２０ｂを設けるとともに、フレーム１９の下枠にブラケット２０ｃ、２０ｄを設け、このフレーム１９の前面側からエンドレスシート３を装着する。エンドレスシート３は、ローラ１、２に巻き掛けられており、ブラケット２０ａ、２０ｃによってローラ２を着脱自在に支承し、ブラケット２０ｂ、２０ｄによってローラ１を着脱自在に支承している。
【０００４】
【特許文献１】特開２００１−１９１６８７号
【発明の開示】
【発明が解決しようとする課題】
【０００５】
しかしながら、従来の電子黒板には次のような課題がある。上記特許文献１に示す電子黒板において、ブラケットをフレームの上下の枠に一体成形する場合、その成形は必ずしも容易ではなく、コスト高となってしまう。また、ブラケットをフレームに個別に接続する場合、その部品点数が多くなり、その分、組立工程が増加し、コスト高となってしまう。さらに、ローラおよびエンドレスシートは比較的重量があるため、これらをブラケットで支持するためには、ブラケット自身に一定の強度や剛性が求められ、ひいてはフレームの設計にも一定の強度や剛性を考慮しなければならず、これもコスト高の要因の一つとなってしまう。また、エンドレスシートやローラをフレームに取り付ける場合、荷重のあるローラやエンドレスシートをフレームの前面から力作業で行わなければならず、組立作業の容易性の問題点も残されている。
【０００６】
本発明は、上記従来の課題を解決し、少ない部品点数で低コストな電子黒板を提供することを目的とする。
さらに本発明は、シート構造体を強固に保持することができ、かつシート構造体の着脱を容易に行うことができる電子黒板を提供することを目的とする。
さらに本発明は、小型化および軽量化が可能な電子黒板を提供することを目的とする。
【課題を解決するための手段】
【０００７】
本発明に係る電子黒板は、筆記用シートと筆記用シートを移動するための駆動部とを備えたシート構造体と、上下に一対のレール部材を含み、該一対のレール部材の側部からシート構造体を着脱可能に収容するフレームと、筆記用シートに記載された文字や図形等を光学的に読取る光学的読取手段と、光学的読取手段によって読取られたデータを出力するデータ出力手段とを有する。
【０００８】
好ましくは、フレームの上下一対のレール部材の対向する側部にサイドカバーが固定される、また、サイドカバーには操作パネルが取り付けられ、操作パネルからの指示に従い、筆記用シートが移動される。
【０００９】
好ましくは、シート構造体はさらに、筆記用シートを巻装する一対のローラと、一対のローラ間距離を可変するシート取外し機構とを含み、シート取外し機構により一対のローラ間の距離を狭めたとき、筆記用シートを一対のローラと平行な方向に取外し可能である。フレームの上下一対のレール部材は、シート構造体を摺動するための溝を含むことが好ましい。
【００１０】
本発明に係る電子黒板の組立方法は、一対のローラ、一対のローラの巻き掛けられた筆記用シート、およびを少なくとも一方のローラを駆動するモータとを含むシート構造体を準備し、フレームの上下一対のレール部材の側部からシート構造体を挿入した後にシート構造体をフレームに固定するステップを有する。
【００１１】
好ましくは、組立方法はさらに、フレームの上下一対のレール部材の側部にサイドカバーを装着するステップを含む。組立方法はさらに、フレームの上下一対のレール部材の側部からシート構造体を取外し、該シート構造体の筆記用シートを取り替えた後、シート構造体を再び上下一対のレール部材の側部から挿入するステップを含む。
【発明の効果】
【００１２】
本発明に係る電子黒板は、フレームの上下一対のレール部材の側部からシート構造体を取り付けるようにしたので、シート構造体を上下のレール部材の広い面積にわたって支承することができ、シート構造体の強固を向上させることができる。同時に、上下一対のレール部材でフレーム構造体を支承するため、部品点数を削減し、かつ、フレームへの局所的な荷重を低減できるため、フレームに要求される材質や構造についての選択の幅が広がり、その結果、低コストなフレームの設計が可能となる。さらに、電子黒板の組立時や筆記用シートの交換時において、シート構造体を上下のレール部材の側部からレール部材に沿って移動させればよいので、その取り付け作業を簡単に行うことができる。
【発明を実施するための最良の形態】
【００１３】
本発明に係る電子黒板は、好ましくは、壁掛け用もしくは壁に固定することが可能な小型化、軽量化された電子黒板として実施される。以下の図面を参照して説明する。
【００１４】
図１は、電子黒板の電気的な構成を示すブロック図である。電子黒板１は、電源のオン・オフや印刷指示等を入力する操作パネル１０と、筆記用シートに記載された文字、図形等を光学的に読取り、文字、図形等の画像情報を出力する光学的読取手段２０と、読取られた画像情報を出力するデータ出力手段３０と、各部の制御を行うコントローラ４０とを含んで構成される。
【００１５】
光学的読取手段２０は、図１（ｂ）に示すように、筆記用シート４０を巻き掛けた一対のローラ４２の一方を回転するモータ２２と、移動する筆記用シート４０に光を照射する照明装置２４と、筆記用シート４０からの反射光を受け取り、画像信号を出力するＣＣＤ２６とを有している。好ましくは、照明装置２４は、筆記用シート４０の所定の位置へ光を照射するための光学系、例えばミラーを含むものであっても良い。
【００１６】
データ出力手段３０は、読取られた画像情報をプリンタに出力したり、あるいは、メモリカードのような記録媒体に出力する。プリンタは、必ずしも電子黒板１に一体に取り付けられる必要はなく、ケーブル等を介して接続されるものであってもよい。データ出力手段３０はさらに、プリンタ以外の他の外部機器、例えば、パーソナルコンピュータ等へ画像情報を伝送するためのインターフェースを備えていても良い。インターフェースは、例えば、無線ＬＡＮや有線ＬＡＮによるＬＡＮアダプターであってもよい。
【００１７】
図２は、本実施例に係る電子黒板１のフレームの構成を示す斜視図、図３はフレーム構造体の構成を示す斜視図、図４はフレームに取り付けられる照明装置、サイドカバー、メイン基板、サイドカバーおよび操作パネルを示す斜視図である。
【００１８】
電子黒板１は、図２に示すように、上下に一対のレール部材１１０、１２０を含むフレーム１００と、フレーム１００の側部から挿入されるシート構造体２００とを有している。上部レール部材１１０と下部レール部材１２０のほぼ中央部は、垂直に延びる２本の連結部材１３０、１４０によって接続される。これによって、上下レール部材が平行に配置される。上部レール部材１１０の短手方向の両端１１２、１１４は、ほぼ垂直に折り曲げられ、これによって下方に向けて開放されるコ字型の溝１１６が形成されている。同様に、下部レール部材１２０の短手方向の両端１２２、１２４がほぼ垂直に折り曲げられ、これによって上方に向けて開放されるコ字型の溝１２６が形成されている。
【００１９】
上下レール部材の各溝１１６、１２６は、互いに平行であり、その溝間の距離は、シート構造体２００の高さ方向のサイズに合わせて設計されている。これによって、シート構造体２００は、上下レール部材１１０、１２０のいずれかの側部から溝１１６、１２６にガイドされ、フレーム内に摺動しつつ挿入される。フレーム１００内に挿入されたシート構造体２００を位置決め固定するために、上下のレール部材１１０、１２０の所定位置にネジ止め用の穴１１８、１２８が形成されている。
【００２０】
下部レール部材１２０の前面には、ペントレー１５０がネジ１５２によって固定される。上部レール部材１１０には、後述する照明装置３００に接続される照明用のインバータ１６０がネジ１６２によって取り付けられる。また、連結部材１４０のほぼ中央には、ブラケット１４２が形成され、このブラケット１４２にはＣＣＤカメラ１７０がネジ１７２によって固定される。ＣＣＤカメラ１７０は、後述するように、照明装置３００によって照射された筆記用シートの反射光を受光し、この画像信号を入出力端子１７４を介してメイン基板３５０へ出力する。
【００２１】
シート構造体２００は、図３に示すように、一対のローラ２１０、２２０と、一対のローラ２１０、２２０を回転自在に支持する上下一対の支持部材２３０と、ローラ２２０を駆動するためのステッピングモータ２４０と、一対のローラ２１０、２２０間に巻き掛けられる筆記用シート２５０とを有している。
【００２２】
ローラ２２０の端部は、ベルト２２２を介してモータ２４０に連結される。モータ２４０からの動力は、ベルト２２２によりローラ２２０に伝達され、ローラ２２０を回転させる。モータ２４０の駆動は、コントローラ４０からの制御によって行われる。
【００２３】
上下の支持部材２３０の端部には、シート取外し機構２３２（図では上部のみが示されている）が設けられている。シート取外し機構２３２は、ローラ２１０を回転自在に支持するスライダ部材２３４を含み、スライダ部材２３４の位置は、支持部材２３０の軸方向に可変することができ、これにおり、ローラ２１０、２２０の軸間距離を調整することができる。
【００２４】
図５（ａ）は、スライダ部材２３４の模式的な平面図、図５（ｂ）はシート取外し機構の模式的な側面図である。スライダ部材２３４は、板状の長手の金属であって、その一端部においてローラ２１０を回転自在に支承する。中央部には、長手方向に沿って延在する溝２３５が形成され、その溝２３５の一方の終端はＬ字型溝２３５aを形成している。また、スライダ部材２３４の他端部には、ばね部材２３９の一端と接続するための固定ピン２３６が形成されている。
【００２５】
図５（ｂ）に示すように、支持部材２３０の上方には、金属製のガイドピン２３７を介して固定金属２３８が接続されている。固定金属２３８は、例えば、ネジ等によってガイドピン２３７に固定することができる。固定金属２３８を取り付ける前に、ガイドピン２３７を溝２３５内を通し、スライダ部材２３４を取り付ける。スライダ部材２４の取り付け後、スライダ部材２３４の固定ピン２３６と固定金属２３８の固定ピン２３８ａとの間にばね部材２３９を接続し、ばね部材２３９の弾性力によって、スライダ部材２３４を方向Ｘに付勢する。
【００２６】
一方、ばね部材２３９の弾性力に抗してスライダ部材２３４を方向Ｘと反対方向に移動させるとき、スライダ部材２３４の溝２３５内のガイドピン２３７によって規制される。そして、ガイドピン２３５をＬ字型溝２３５ａ内に係止させることで、スライダ部材２３５をその位置に停止させることができる。図示しないが、下部の支持部材にも同様のシート取外し機構２３２が取り付けられている。こうして、スライダ部材２３４を移動させることで、ローラ２１０とローラ２２０との軸間距離を可変することができる。
【００２７】
スライダ部材２３４のＬ字型溝２３５a内にガイドピン２３７を係止させている状態、すなわちローラ間の軸間距離が狭めている状態で、図３に示すようなエンドレス状の筆記用シート２５０がローラと平行にかつ上方から取り付けられる。筆記用シート２５０を所定の位置に配置した後、スライダ部材２３４のＬ字型溝２３５ａとガイドピン２３７との係止を解除し、スライダ部材２３４をＸ方向に移動させる。これによって、筆記用シート２５０はローラによって一定の張力を受ける。この状態で、ローラ２２０を回転すると、筆記用シート２５０が移動し、ローラ２１０もこれに同期して回転する。
【００２８】
筆記用シート２５０を装着したシート構造体２００は、図２に示すように、上下の支持部材２３０が、フレーム１００の上下のレール部材１１０、１２０の側部から溝１１６、１２６にガイドされながら挿入される。シート構造体２００の挿入後、上下の支持部材２３０に設けられたネジ止め用穴２７０が、上下レール部材のネジ止め用穴１１８、１２８に位置決めされ、ネジ２７２によって両者が固定される（図２参照）。
【００２９】
次に、図４を参照する。照明装置３００は、フレーム１００の一方の側部に、固定金具３１０およびネジ３１２によって取り付けられる。このとき、照明装置３００は、上記した照明用インバータ１６０と電気的に接続される。照明装置３００は、好ましくは光源と、光源からの光を反射するミラー３０２とを含む。ミラー３０２は、上下のレール部材１１０、１２０間に鉛直方向に配置され、ローラ２２０が回転するとき、すなわち筆記用シート２５０が移動するとき、その移動方向と垂直方向のラインを走査する。
【００３０】
さらに、フレーム１００の両側部には、一対のサイドカバー３２０、３３０が取り付けられる。サイドカバー３２０は、ネジ３２２、３２４によってそれぞれ上下のレール部材１１０、１２０に固定され、照明装置３００を覆うようになっている。また、サイドレール３２０の両端には、一対のキャップ３２６、３２８が取り付けられる。
【００３１】
サイドカバー３３０は、ネジ３３２、３３４によってそれぞれ上下のレール部材１１０、１２０に固定される。サイドレール３３０の両端には、一対のキャップ３３６、３３８が取り付けられる。さらに、サイドカバー３３０の前面には、操作パネル３４０がネジ３４２によって取り付けられる。操作パネル３４０は、電源オン・オフの操作ボタンや印刷指示の操作ボタン３４４等を含む。さらに、操作パネル３４０は、メモリカードを挿入するためのカードスロット３４６を有している。
【００３２】
サイドレール３３０の裏側には、マイクロコンピュータ等の電子部品を実装したメイン基板３５０がネジ３５２によって固定される。メイン基板３５０の表面には、電子部品を保護するためのシールド３５４が取り付けられている。上記した操作パネル３４０からの入力信号およびカードスロット３４６への出力信号は、図示しない信号線を介してメイン基板３５０に電気的に接続されている。
【００３３】
図６は、本実施例による電子黒板の組立工程を示すフローチャートである。始めに、フレーム１００に、必要な部品として、図２に示したような、ペントレー１５０、照明用インバータ１６０およびＣＣＤカメラ１７０等が取り付けられる（ステップＳ１０１）。
【００３４】
次に、シート構造体２００が構成される（ステップＳ１０２）。すなわち、ローラ２２０にモータ２４０を取り付けたり、ローラ２１０、２２０間に筆記用シート２５０を巻き掛け、フレーム１００に挿入できる状態にする。
【００３５】
次に、フレーム１００の一方の側部から、シート構造体２００を挿入し（ステップＳ１０３）、所定の位置において、両者をネジ２７２にて固定する（ステップＳ１０４）。最後に、図４に示すように、照明装置３００、サイドカバー３２０、３３０、操作パネル３４０、メイン基板３５０等を取り付け、電子黒板の組立を完了する（ステップＳ１０５）。
【００３６】
なお、上記ステップは一例であって、必ずしもこれに限定されるものではない。例えば、上記ステップにおいて、ステップＳ１０１とＳ１０２とを反対の順序で行っても良い。
【００３７】
図７は、筆記用シートを取替えるときの工程を示すフローチャートである。先ず、フレーム１００からサイドフレーム３２０を取り外す（ステップＳ２０１）。次に、図８（ａ）に示すように、シート構造体２００とフレーム１００とを固定しているネジ２７２を外し、シート構造体２００を矢印Ｓ方向に、上下のレール部材１１０、１２０上をスライドさせ、シート構造体２００をフレーム１００の側部から取り外す（ステップＳ２０２）。
【００３８】
次に、上記した図５に示すシート取外し機構２３２を操作し、スライダ部材２３４を移動させ、ローラ２１０、２２０間の軸間距離を狭め、筆記用シート２５０への張力を解除する（ステップＳ２０３）。このとき、Ｌ字型溝２３５ａがガイドピン２３７と係止させ、スライダ部材２３４がバネに抗した状態で停止さえる。この状態において、図８（ｂ）に示すように、筆記用シート２５０をローラ２１０、２２０と平行な方向Ｕに移動させ、筆記用シート２５０をシート構造体２００から取り外す（ステップＳ２０４）。
【００３９】
次に、新しい筆記用シート２５０を、今の手順と逆の要領にて、方向Ｕと反対方向にローラ２１０、２２０に平行に取り付ける（ステップＳ２０５）。スライダ部材２３４の溝２３５ａとガイドピン２３７との係止状態を解除させ、スライダ部材２３４をバネの付勢方向Ｘに移動させ、ローラ２１０、２２０によって筆記用シート２５０に一定の張力を与える（ステップＳ２０６）。再び、シート構造体２００をフレーム１００の側部から挿入し、元の組立状態に戻す（ステップＳ２０７）。
【００４０】
以上説明したように、本実施例に係る電子黒板では、モジュール化したシート構造体２００を上下のレール部材１１０、１２０によって支持する構成としたため、シート構造体２００を支持する構成が簡易となり、かつ、そのための部品点数が減少し、低コスト化を図ることができる。また、シート構造体２００は、レール部材１１０、１２０に沿ってスライドしながら横方向に出し入れされるため、電子黒板の組立時やおよび筆記用シートの交換時の操作性、作業性が改善される。
さらに、電子黒板の部品点数を減らしたことで、電子黒板の軽量化、省スペース化が可能となり、オフィスの壁掛け用として用いるのに適した電子黒板を提供することができる。
【００４１】
本発明の好ましい実施の形態について詳述したが、本発明は係る特定の実施形態に限定されるものではなく、特許請求の範囲に記載された本発明の要旨の範囲内において、種々の変形、変更が可能である。
【００４２】
上記実施例では、壁掛け用に適した電子黒板を例示したが、これ以外にも、フレームにアーム（脚）を取り付け、従来と同様に、床上に設置する電子黒板であってもよい。さらに、上記実施例では、ローラにより筆記用シートに一定の張力を与える構成としたが、筆圧によっては張力が不足することも考えられる。このため、この場合には、ローラ間に板状の下敷きを取り付けるようにし、所定の筆圧にも耐えられるようにしてもよい。
【００４３】
さらに上記実施例のシート取り外し機構は一例であって、これ以外の機構によってローラ間の軸間の距離を可変しても良い。
【産業上の利用可能性】
【００４４】
本発明に係る電子黒板は、会議やプレゼンテーションにおいて、使用者による手書きの文字、図形等を筆記用シートに表示するとともに、その文字や図形等の画像情報の記録、複写等をすることができる。
【図面の簡単な説明】
【００４５】
【図１】本発明の実施例に係る電子黒板の構成を示すブロック図である。
【図２】本実施例の電子黒板のフレームの構成を示す斜視図である。
【図３】本実施例のフレーム構造体の構成を示す斜視図である。
【図４】フレームに取り付けられる各部の構成を示す斜視図である。
【図５】図５（ａ）はスライド部材の模式的な平面図、図５（ｂ）はシート取り外し機構の模式的な側面図である。
【図６】電子黒板の組立工程を示すフローチャートである。
【図７】筆記用シートを取り替えるときの工程を示すフローチャートである。
【図８】図８（ａ）はシート構造体をフレームから取り外す状態を示し、図８（ｂ）は筆記用シートをローラから取り外す状態を示す図である。
【図９】従来の電子黒板装置の一構成例を示す図である。
【符号の説明】
【００４６】
１：電子黒板
１０：操作パネル
２０：光学的読取手段
３０：データ出力手段
４０：コントローラ
１００：フレーム
１１０：上部のレール部材
１２０：下部のレール部材
２００：シート構造体
２１０、２２０：ローラ
２３０：支持部材
２３２：シート取外し機構
２３４：スライダ部材
２４０：ステッピングモータ
２５０：筆記用シート
３００：照明装置
３２０、３３０：サイドカバー
３４０：操作パネル
３５０：メイン基板
【図１】
2005246691.tif 000003
【図２】
2005246691.tif 000004
【図３】
2005246691.tif 000005
【図４】
2005246691.tif 000006
【図５】
2005246691.tif 000007
【図６】
2005246691.tif 000008
【図７】
2005246691.tif 000009
【図８】
2005246691.tif 000010
【図９】
2005246691.tif 000011